(57)【要約】【課題】未対応の音声圧縮方式による放送の受信を選択した場合であっても、無音で動作が停止してしまう不都合を可能な限り防止できる「放送受信装置および放送受信制御方法」を提供する。【解決手段】受信チャンネルとして選択されたＤＡＢ放送で採用されている音声圧縮方式に対応しているか否かを判定する方式対応判定部１２と、未対応と判定された場合、ＤＡＢ放送と同内容のＦＭ放送が存在するか否かを判定する同内容放送判定部１３と、同内容のＦＭ放送が存在する場合に当該ＦＭ放送を受信して再生するように制御する受信制御部１４とを設け、未対応の音声圧縮方式を採用しているＤＡＢ放送が受信チャンネルとして選択された場合であっても、同内容のＦＭ放送があれば、当該ＦＭ放送を受信して再生するようにすることにより、無音で動作が停止してしまう不都合を可能な限り防止できるようにする。【選択図】図２
2013090077.tif 000002
【特許請求の範囲】
【請求項１】
受信チャンネルとして選択された第１規格の放送の受信データに含まれる制御情報に基づいて、当該第１規格の放送で採用されている音声圧縮方式に対応可能か否かを判定する方式対応判定部と、
上記方式対応判定部により未対応と判定された場合、上記第１規格の放送の受信データに含まれるサービス情報に基づいて、上記選択された第１規格の放送とは異なる第２規格の放送で、上記受信チャンネルの放送と同内容の放送が存在するか否かを判定する同内容放送判定部と、
上記同内容放送判定部により上記第２規格で同内容の放送が存在すると判定された場合、当該第２規格で同内容の放送を受信して再生するように制御する受信制御部とを備えたことを特徴とする放送受信装置。
【請求項２】
上記受信制御部の制御により上記第２規格の放送の受信・再生が行われているときに、上記第１規格の放送の受信データに含まれる上記制御情報および上記サービス情報に基づいて、上記第１規格の放送で、対応可能な音声圧縮方式を採用している他の放送が存在するか否かを判定する対応可能放送判定部を更に備え、
上記受信制御部は、上記対応可能放送判定部により上記対応可能な音声圧縮方式を採用している上記第１規格の他の放送が存在すると判定された場合、上記第２規格の放送の受信・再生を上記第１規格の他の放送の受信・再生に切り替えるように制御することを特徴とする請求項１に記載の放送受信装置。
【請求項３】
上記第１規格の放送はＤＡＢ放送であり、上記第２規格の放送はＦＭ放送であることを特徴とする請求項１または２に記載の放送受信装置。
【請求項４】
受信チャンネルとして選択された第１規格の放送の受信データに含まれる制御情報に基づいて、当該第１規格の放送で採用されている音声圧縮方式に対応可能か否かを判定する第１のステップと、
上記第１のステップで未対応と判定された場合、上記第１規格の放送の受信データに含まれるサービス情報に基づいて、上記選択された第１規格の放送とは異なる第２規格の放送で、上記受信チャンネルの放送と同内容の放送が存在するか否かを判定する第２のステップと、
上記第２のステップで上記第２規格で同内容の放送が存在すると判定された場合、当該第２規格で同内容の放送を受信して再生するように制御する第３のステップとを有することを特徴とする放送受信制御方法。
【請求項５】
上記第２規格の放送の受信・再生が行われているときに、上記第１規格の放送の受信データに含まれる上記制御情報および上記サービス情報に基づいて、上記第１規格の放送で、対応可能な音声圧縮方式を採用している他の放送が存在するか否かを判定する第４のステップと、
上記第４のステップで上記対応可能な音声圧縮方式を採用している上記第１規格の他の放送が存在すると判定された場合、上記第２規格の放送の受信・再生を上記第１規格の他の放送の受信・再生に切り替えるように制御する第５のステップとを更に有することを特徴とする請求項４に記載の放送受信制御方法。
【発明の詳細な説明】
【技術分野】
【０００１】
本発明は、放送受信装置および放送受信制御方法に関し、例えば、デジタルラジオ放送を受信する装置に用いて好適なものである。
【背景技術】
【０００２】
デジタルラジオ放送は、従来のアナログラジオ方法（ＡＭ放送、ＦＭ放送）に比べて高音質であること、データ放送などの付加サービスが充実していることなどの特徴を有することから、最近では広く実施されている。デジタルラジオの放送規格としては、ＤＡＢ（Digital Audio Broadcast）、ＤＭＢ（Digital Multimedia Broadcasting）、ＤＲＭ（Digital Radio Mondiale）、ＩＳＤＢ（Integrated Services Digital Broadcasting）、ＩＢＯＣ（In-band on-channel）など種々のものがある。
【０００３】
これらの放送規格は、一度策定されたら常に固定であるとは限らず、改良が加えられることもある。例えば、ＤＡＢの場合、２０１０年に規格改定が行われ、音声圧縮方式として、従来の２ｃｈステレオと５．１ｃｈサラウンドの他に、７．１ｃｈサラウンドの音声圧縮方式が追加された。その場合、旧規格の音声圧縮方式にのみ対応した放送受信装置では、新規格の音声圧縮方式による放送を受信して正常に再生できない場合が生じるという問題がある。
【０００４】
例えば、放送受信装置において未対応の音声圧縮方式（７．１ｃｈのサラウンド音声）の放送（サービス）がユーザにより選択された場合、音声圧縮方式以外の制御情報の観点では旧規格の通りのため、放送受信装置は正常なデータと判断して受信を開始する。ただし、新規格の音声圧縮方式に対応できるわけではないので、無音で動作が停止してしまうという問題があった。
【０００５】
なお、昨今の放送受信装置においては、受信可能な放送（サービス）の一覧をディスプレイ画面に表示させ、ユーザが一覧の中から所望のサービスを選択できるようにしたものが主流である。しかし、選択可能なサービスの一覧を表示しても、各サービスで採用している音声圧縮方式が、放送受信装置で再生可能なものなのか、未対応で再生不可能なものなのかまでは提示できない。それは、サービス一覧を作成する時間を可能な限り短くするために、受信した放送のデータ中に含まれる制御情報を細部まで詳細に解析しないのが基本だからである。
【０００６】
そのため、未対応の音声圧縮方式を採用しているサービスをユーザが一覧から選択してしまう場合もある。その場合、放送受信装置は、その選択されたサービスの受信動作を開始するものの、実際には無音で動作が停止してしまう。ユーザにしてみれば、受信可能と思ってサービスを選択したにもかかわらず、実際には無音のままで止まり、待たされ損になる。今後も、規格改定により新しい音声圧縮方式が採用され、そのたびに未対応の音声圧縮方式が増えていくことも予想される。そのため、何らかの対応が望まれている。
【０００７】
なお、ＤＶＢ−Ｔ方式に対応のテレビジョン受像機において、ＤＶＢ−Ｔ２方式の放送を受信した場合に、自機では対応していないテレビジョン放送が行われていることをユーザに通知するようにした技術が存在する（例えば、特許文献１参照）。また、受信機が対応していない伝送方式の放送を受信する場合は外部受信機器が必要である旨のメッセージをユーザに提示するようにした技術も存在する（例えば、特許文献２参照）。
【０００８】
また、再生手段からデジタル放送の音声信号が出力できない状態となった場合（受信装置で対応していないチャンネルを選局した場合など）に、その原因毎に異なる警告音を発生するようにした技術も提案されている（例えば、特許文献３参照）。さらに、電源投入時またはチャンネル切替時はアナログ放送を出力し、デジタル放送の出力が可能になった時点でデジタル放送に切り替えるようにした技術も存在する（例えば、特許文献４参照）。
【先行技術文献】
【特許文献】
【０００９】
【特許文献１】特開２０１０−２５１９９７号公報
【特許文献２】特開２００７−２１４９７７号公報
【特許文献３】特開２００５−３５４５０５号公報
【特許文献４】特開２００８−２８８８４２号公報
【発明の概要】
【発明が解決しようとする課題】
【００１０】
しかしながら、上記特許文献１〜３に記載の従来技術では、未対応の音声圧縮方式による放送を受信した場合などにそのことをユーザに通知してくれるものの、単に通知を行うのみである。つまり、選択できるように見えたサービスをユーザが選択したにもかかわらず無音で止まってしまうという問題を根本的に解決することはできない。また、上記特許文献４に記載の従来技術では、電源投入時またはチャンネル切替時に同内容のアナログ放送とデジタル放送との切り替えを行うのみであり、この技術でも上述の問題を解決することはできない。
【００１１】
本発明は、このような問題を解決するために成されたものであり、未対応の音声圧縮方式による放送の受信を選択した場合であっても、無音で動作が停止してしまう不都合を可能な限り防止できるようにすることを目的とする。
【課題を解決するための手段】
【００１２】
上記した課題を解決するために、本発明では、受信チャンネルとして選択された第１規格の放送（例えば、ＤＡＢ放送）で採用されている音声圧縮方式に未対応の場合、第１規格とは異なる第２規格の放送（例えば、デジタルＦＭ放送）で、第１規格の放送と同内容の放送が存在するか否かを判定し、存在する場合は当該第２規格の放送を受信して再生するように制御する。
【００１３】
また、本発明の他の態様では、上述のようにして第２規格の放送の受信・再生が行われているときに、第１規格の放送で、対応可能な音声圧縮方式を採用している他の放送が存在するか否かを判定し、存在する場合は、第２規格の放送の受信・再生を第１規格の他の放送の受信・再生に切り替えるように制御する。
【発明の効果】
【００１４】
上記のように構成した本発明によれば、未対応の音声圧縮方式を採用している第１規格の放送が受信チャンネルとして選択された場合であっても、第１規格とは異なる第２規格で同内容の放送があれば、選択された第１規格の放送をそのまま受信して再生するのではなく、当該第２規格の放送を受信して再生するように制御される。これにより、未対応の音声圧縮方式による放送の受信を選択した場合であっても、無音で動作が停止してしまう不都合を可能な限り防止することができる。
【００１５】
また、本発明の他の態様によれば、いったん第２規格の放送を受信して再生した後、対応可能な音声圧縮方式を採用している第１規格の他の放送が別に見つけられた場合には、第２規格の放送の受信から当該第１規格の他の放送の受信に切り替えて再生するように制御される。これにより、音声圧縮方式が未対応である第１規格の放送の受信を選択した場合であっても、当該選択された第１規格と同じ第１規格の他の放送の受信によって、無音で動作が停止してしまう不都合を可能な限り防止することができる。
【図面の簡単な説明】
【００１６】
【図１】本実施形態による放送受信装置の構成例を示すブロック図である。
【図２】本実施形態のコントローラが備える機能構成例を示すブロック図である。
【図３】本実施形態による放送受信装置の動作例を示すフローチャートである。
【発明を実施するための形態】
【００１７】
以下、本発明の一実施形態を図面に基づいて説明する。図１は、本実施形態による放送受信装置の構成例を示すブロック図である。図１に示すように、本実施形態の放送受信装置は、ＤＡＢチューナ１、ＦＭチューナ２、ＤＡＢ復調部３、ＦＭ復調部４、ＤＡＢデマルチプレクサ５、ＦＭデマルチプレクサ６、音声処理部７、スピーカ８、表示部９およびコントローラ１０を備えて構成されている。
【００１８】
ＤＡＢチューナ１は、ＤＡＢ規格のデジタルラジオ放送（以下、ＤＡＢ放送という）を受信する。ＤＡＢチューナ１は、コントローラ１０からの指示に基づいて、ユーザが操作部（図示せず）を操作して選択した１つの受信チャンネルに対応するＤＡＢ放送を受信する。また、ＤＡＢチューナ１は、コントローラ１０からの指示に基づいて、当該コントローラ１０により特定された受信チャンネルに対応するＤＡＢ放送を受信する（これについては詳細を後述する）。
【００１９】
ＦＭチューナ２は、ＦＭ規格のデジタルラジオ放送（以下、ＦＭ放送という）を受信する。ＦＭチューナ２は、コントローラ１０からの指示に基づいて、ユーザが操作部（図示せず）を操作して選択した１つの受信チャンネルに対応するＦＭ放送を受信する。また、ＦＭチューナ２は、コントローラ１０からの指示に基づいて、当該コントローラ１０により特定された受信チャンネルに対応するＦＭ放送を受信する（これについては詳細を後述する）。
【００２０】
ＤＡＢ復調部３は、ＤＡＢチューナ１により受信されたＤＡＢ放送のデータを復調し、所定の誤り訂正処理を行った後、その結果得られるデータをＤＡＢデマルチプレクサ５に出力する。ＤＡＢデマルチプレクサ５は、ＤＡＢ復調部３から供給されるデータを音声データとその付随データとに分離する。ＤＡＢデマルチプレクサ５は、分離した音声データを音声処理部７に出力し、付随データをコントローラ１０に出力する。
【００２１】
なお、ＤＡＢ放送の付随データの中には、ＦＩＣ情報（Fast Information Channel情報）やService Following情報が含まれている。ＦＩＣ情報は、サービスのラベルやインフォメーションなどを示す情報である。サービスで提供する音声データは、ＦＩＣ情報の後に続くＭＳＣ情報（Main Service Channel情報）と呼ばれる部分に含まれており、要するにＦＩＣ情報は、次にくるＭＳＣ情報の内容を説明するものである。
【００２２】
ＭＳＣ情報に含まれる音声データは、複数のService Componentという単位に分けて、所定の音声圧縮方式で圧縮されている。各々のService Componentにはヘッダ部が存在し、そのヘッダ部に音声圧縮方式（サラウンドの有無および種類など）が記述されている。ＤＡＢの新規格（２０１０年５月版）によれば、ヘッダ部のHe_aac_super_frame_headerという情報（以下、ＳＦＨ情報という）が“000”の場合は２ｃｈステレオ、“001”の場合はＭＰＥＧ５．１ｃｈサラウンド、“010”の場合はＭＰＥＧ７．１ｃｈサラウンドと決められている。ＤＡＢの旧規格（２００７年２月版）に比べて、新規格ではＭＰＥＧ７．１ｃｈサラウンドが新たに追加されている。なお、このＳＦＨ情報は、特許請求の範囲の制御情報に相当する。
【００２３】
また、Service Following情報は、現在受信中のチャンネルのＤＡＢ放送に加え、他のチャンネルのＤＡＢ放送およびＦＭ放送に関するサービス内容を示す情報である。Service Following情報には、番組の名称、放送日時、内容の説明などの番組に関する情報が含まれており、番組を識別するための情報であるサービスＩＤにより番組を特定することが可能である。なお、このService Following情報は、特許請求の範囲のサービス情報に相当する。
【００２４】
ＦＭ復調部４は、ＦＭチューナ２により受信されたＦＭ放送のデータを復調し、所定の誤り訂正処理を行った後、その結果得られる音声データをＦＭデマルチプレクサ６に出力する。ＦＭデマルチプレクサ６は、ＦＭ復調部４から供給されるデータを音声データとその付随データとに分離する。ＦＭデマルチプレクサ６は、分離した音声データを音声処理部７に出力し、付随データをコントローラ１０に出力する。
【００２５】
音声処理部７は、ＤＡＢデマルチプレクサ５またはＦＭデマルチプレクサ６より供給される音声データに対して所定の処理を行うことにより、圧縮を解凍してＰＣＭオーディオデータを生成する。そして、そのＰＣＭオーディオデータをアナログ信号に変換するとともに、当該アナログ信号を所定の増幅率で増幅してスピーカ８に出力する。また、音声処理部７は、所定の処理を行う際に、Service Componentに含まれるＳＦＨ情報を抽出し、コントローラ１０に供給する。
【００２６】
コントローラ１０は、本実施形態による放送受信装置の全体を制御するものである。このコントローラ１０は、各種演算処理を実行するＣＰＵ、各種制御プログラムを格納するＲＯＭ、データ格納やプログラム実行のためのワークエリアとして利用されるＲＡＭを有し、ＲＯＭに格納されたプログラムに従ってＣＰＵが動作することにより、各種制御を実行する。
【００２７】
図２は、コントローラ１０が備える機能構成例を示すブロック図である。図２に示すように、本実施形態のコントローラ１０は、その機能構成として、一覧生成部１１、方式対応判定部１２、同内容放送判定部１３、受信制御部１４、対応可能放送判定部１５および表示制御部１６を備えている。
【００２８】
一覧生成部１１は、ＤＡＢデマルチプレクサ５から供給されるＦＩＣ情報に基づいて、受信可能なＤＡＢ放送（サービス）の一覧を生成して表示制御部１６に出力する。表示制御部１６は、一覧生成部１１により生成されたサービス一覧を表示部９に表示させるように制御する。
【００２９】
方式対応判定部１２は、ユーザが操作部（図示せず）を操作することによってサービス一覧の中から受信チャンネルが選択された場合、当該受信チャンネルとして選択されたＤＡＢ放送の受信データに含まれるＳＦＨ情報を音声処理部７から入力する。そして、当該ＳＦＨ情報に基づいて、当該ＤＡＢ放送で採用されている音声圧縮方式に対応可能か否かを判定する。
【００３０】
例えば、放送受信装置がＤＡＢの旧規格にのみ対応するものである場合、方式対応判定部１２は、ＳＦＨ情報が“000”（２ｃｈステレオ）または“001”（ＭＰＥＧ５．１ｃｈサラウンド）の場合は対応可能、ＳＦＨ情報が“010”（ＭＰＥＧ７．１ｃｈサラウンド）の場合は未対応と判定する。方式対応判定部１２は、その判定結果を同内容放送判定部１３および受信制御部１４に通知する。
【００３１】
同内容放送判定部１３は、方式対応判定部１２により受信チャンネルの音声圧縮方式に未対応と判定された場合に、ＤＡＢ放送の受信データに含まれるService Following情報をＤＡＢデマルチプレクサ５から入力し、当該Service Following情報に基づいて、受信チャンネルとして選択されたＤＡＢ放送とは異なるＦＭ放送で、当該受信チャンネルのＤＡＢ放送と同内容の放送が存在するか否かを判定する。
【００３２】
具体的には、同内容放送判定部１３は、Service Following情報に含まれるＤＡＢ放送のサービスＩＤとＦＭ放送のサービスＩＤとを比較して、ＤＡＢ放送のサービスＩＤとＦＭ放送のサービスＩＤとで同一のものがあるか否かを調べる。そして、ＤＡＢ放送とＦＭ放送とで同一のサービスＩＤがある場合には、同内容放送判定部１３は、受信チャンネルとして選択されたＤＡＢ放送と同内容のＦＭ放送が存在すると判定する。同内容放送判定部１３は、その判定結果を受信制御部１４および対応可能放送判定部１５に通知する。
【００３３】
受信制御部１４は、ユーザにより選択されたＤＡＢ放送の音声圧縮方式に放送受信装置が対応可能であると方式対応判定部１２により判定された場合は、当該選択されたＤＡＢ放送をそのまま受信して再生するように、ＤＡＢチューナ１、ＤＡＢ復調部３、ＤＡＢデマルチプレクサ５および音声処理部７を制御する。
【００３４】
一方、ユーザにより選択されたＤＡＢ放送の音声圧縮方式に放送受信装置が未対応であると方式対応判定部１２により判定された場合、受信制御部１４は、同内容放送判定部１３による判定結果に応じて受信制御を行う。すなわち、受信制御部１４は、同内容放送判定部１３によりＤＡＢ放送と同内容のＦＭ放送が存在すると判定された場合は、当該ＦＭ放送を受信して再生するように、ＦＭチューナ２、ＦＭ復調部４、ＦＭデマルチプレクサ６および音声処理部７を制御する。
【００３５】
なお、同内容放送判定部１３によりＤＡＢ放送と同内容のＦＭ放送が存在しないと判定された場合、受信制御部１４は、その旨を対応可能放送判定部１５および表示制御部１６に通知する。この通知を受けて表示制御部１６は、「現在再生可能なサービスを検索中」等のメッセージを生成し、当該メッセージを表示部９に表示させるように制御する。
【００３６】
対応可能放送判定部１５は、受信制御部１４の制御によりＦＭ放送の受信が行われているとき、あるいは、表示制御部１６により「現在再生可能なサービスを検索中」等のメッセージが表示部９に表示されているときに、ＤＡＢチューナ１により受信されているＤＡＢ放送のデータに含まれるＳＦＨ情報（音声処理部７から供給される）およびService Following情報（ＤＡＢデマルチプレクサ５から供給される）に基づいて、放送受信装置が対応可能な音声圧縮方式を採用しているＤＡＢ放送が、当初ユーザにより選択された受信チャンネルの他に存在するか否かを判定する。
【００３７】
例えば、放送受信装置がＤＡＢの旧規格にのみ対応するものである場合において、ユーザにより受信チャンネルとして選択されたＤＡＢ放送のＳＦＨ情報が“010”（ＭＰＥＧ７．１ｃｈサラウンド）であったため、当該サラウンド音声に未対応であるとしてＤＡＢ放送の代わりにＦＭ放送の受信および再生が行われているとする。あるいは、代わりのＦＭ放送も見つからなくて「現在再生可能なサービスを検索中」等のメッセージが表示部９に表示されているとする。
【００３８】
このとき、対応可能放送判定部１５は、ＤＡＢチューナ１で受信されたＤＡＢ放送のデータ中に含まれるService Following情報に基づいて、ユーザにより選択された受信チャンネルとは別のチャンネルに対応するＤＡＢ放送で、サービスＩＤが一致する他のＤＡＢ放送があるか否かを判定する。そのような条件を満たすＤＡＢ放送が存在する場合は、そのＤＡＢ放送を受信するようにＤＡＢチューナ１の受信チャンネルを切り替える。そして、それによって受信される他のＤＡＢ放送のデータに含まれるＳＦＨ情報に基づいて、当該他のＤＡＢ放送で採用されている音声圧縮方式に放送受信装置が対応可能か否かを判定する。
【００３９】
ここで、切り替えた後の他のＤＡＢ放送の受信データに含まれるＳＦＨ情報が“000”（２ｃｈステレオ）または“001”（ＭＰＥＧ５．１ｃｈサラウンド）であれば、対応可能放送判定部１５は対応可能と判定する。つまり、放送受信装置が対応可能な音声圧縮方式を採用しているＤＡＢ放送が、最初にユーザにより選択されたＤＡＢ放送の他に存在すると判定する。そして、その旨を受信制御部１４に通知する。
【００４０】
この通知を受けて受信制御部１４は、切り替え後の他のＤＡＢ放送を受信して再生するように制御する。例えば、ユーザにより選択されたＤＡＢ放送の代わりにＦＭ放送の受信および再生が行われていた場合、受信制御部１４は、ＦＭ放送の受信および再生を、対応可能な音声圧縮方式を採用している他のＤＡＢ放送の受信および再生に切り替えるように制御する。すなわち、受信制御部１４は、ＦＭチューナ２、ＦＭ復調部４およびＦＭデマルチプレクサ６による動作を、ＤＡＢチューナ１、ＤＡＢ復調部３およびＤＡＢデマルチプレクサ５による動作に切り替えるように制御する。
【００４１】
また、「現在再生可能なサービスを検索中」等のメッセージが表示部９に表示されていた場合、受信制御部１４は、ＤＡＢチューナ１、ＤＡＢ復調部３およびＤＡＢデマルチプレクサ５によって他のＤＡＢ放送を受信して再生するように制御する。また、その旨を表示制御部１６に通知する。この通知を受けて表示制御部１６は、「現在再生可能なサービスを検索中」等のメッセージを表示部９から消去する。
【００４２】
なお、放送受信装置が対応可能な音声圧縮方式を採用している他のＤＡＢ放送が存在しない場合、対応可能放送判定部１５はその旨を表示制御部１６に通知する。この通知を受けて表示制御部１６は、「受信再生対応可能な他のＤＡＢ放送が見つかりません」等のメッセージを生成し、当該メッセージを表示部９に表示させるように制御する。なお、代わりのＦＭ放送を受信して再生している場合は、「ＦＭ放送に切り替えました」等のメッセージを表示部９に表示させて、ＦＭ放送の受信および再生を続行する。
【００４３】
図３は、上記のように構成した本実施形態による放送受信装置の動作例を示すフローチャートである。図３に示すフローチャートは、表示部９に表示されたサービス一覧の中からユーザにより所望の受信チャンネルが選択されたときに開始する。
【００４４】
ユーザにより受信チャンネルが選択されると、まず、方式対応判定部１２は、当該受信チャンネルとして選択されたＤＡＢ放送の受信データに含まれるＳＦＨ情報に基づいて、当該ＤＡＢ放送の放送で採用されている音声圧縮方式に放送受信装置が対応可能か否かを判定する（ステップＳ１）。
【００４５】
ここで、選択されたＤＡＢ放送の音声圧縮方式に対応可能であると方式対応判定部１２により判定された場合、受信制御部１４は、当該選択されたＤＡＢ放送をそのまま受信して再生するように、ＤＡＢチューナ１、ＤＡＢ復調部３、ＤＡＢデマルチプレクサ５および音声処理部７を制御する（ステップＳ２）。そして、図３に示すフローチャートの処理を終了する。
【００４６】
一方、選択されたＤＡＢ放送の音声圧縮方式に未対応であると方式対応判定部１２にて判定された場合、同内容放送判定部１３は、選択されたＤＡＢ放送の受信データに含まれるService Following情報に基づいて、当該選択されたＤＡＢ放送とは異なるＦＭ放送で、受信チャンネルのＤＡＢ放送と同内容の（サービスＩＤが一致する）ＦＭ放送が存在するか否かを判定する（ステップＳ３）。
【００４７】
ここで、受信チャンネルのＤＡＢ放送と同内容のＦＭ放送が存在すると同内容放送判定部１３にて判定された場合、受信制御部１４は、当該ＦＭ放送を受信して再生するように、ＦＭチューナ２、ＦＭ復調部４、ＦＭデマルチプレクサ６および音声処理部７を制御する（ステップＳ４）。
【００４８】
その後、ＦＭチューナ２等によりＦＭ放送の受信および再生が行われているバックグラウンドで、対応可能放送判定部１５は、ＤＡＢチューナ１により受信されているＤＡＢ放送のデータに含まれるＳＦＨ情報およびService Following情報に基づいて、放送受信装置が対応可能な音声圧縮方式を採用しているＤＡＢ放送が他に存在するか否かを判定する（ステップＳ５）。
【００４９】
そして、放送受信装置が対応可能な音声圧縮方式を採用している他のＤＡＢ放送が存在すると対応可能放送判定部１５にて判定された場合、受信制御部１４は、ＦＭチューナ２等により行われているＦＭ放送の受信および再生を、当該他のＤＡＢ放送の受信および再生に切り替えるように制御する（ステップＳ６）。そして、図３に示すフローチャートの処理を終了する。
【００５０】
一方、放送受信装置が対応可能な音声圧縮方式を採用している他のＤＡＢ放送が存在しないと対応可能放送判定部１５にて判定された場合、表示制御部１６は、「ＦＭ放送に切り替えました」等のメッセージを生成し、表示部９に表示させるように制御する（ステップＳ７）。そして、図３に示すフローチャートの処理を終了する。この場合、ステップＳ４で行われたＦＭ放送の受信および再生が続行されることになる。
【００５１】
上記ステップＳ３において、最初にユーザにより選択された受信チャンネルのＤＡＢ放送と同内容のＦＭ放送が存在しないと同内容放送判定部１３にて判定された場合、表示制御部１６は、「現在再生可能なサービスを検索中」等のメッセージを生成し、当該メッセージを表示部９に表示させるように制御する（ステップＳ８）。
【００５２】
このメッセージの表示中に、対応可能放送判定部１５は、ＤＡＢチューナ１により受信されているＤＡＢ放送のデータに含まれるＳＦＨ情報およびService Following情報に基づいて、放送受信装置が対応可能な音声圧縮方式を採用しているＤＡＢ放送が他に存在するか否かを判定する（ステップＳ９）。
【００５３】
そして、放送受信装置が対応可能な音声圧縮方式を採用している他のＤＡＢ放送が存在すると対応可能放送判定部１５にて判定された場合、処理はステップＳ６に進む。すなわち、受信制御部１４は、ユーザにより選択されたＤＡＢ放送から当該他のＤＡＢ放送へ切り替えて受信および再生を行うように制御する（ステップＳ６）。そして、図３に示すフローチャートの処理を終了する。
【００５４】
一方、放送受信装置が対応可能な音声圧縮方式を採用している他のＤＡＢ放送が存在しないと対応可能放送判定部１５にて判定された場合、表示制御部１６は、「受信再生対応可能な他のＤＡＢ放送が見つかりません」等のメッセージを生成し、当該メッセージを表示部９に表示させるように制御する（ステップＳ１０）。そして、図３に示すフローチャートの処理を終了する。この場合は無音となるので、ユーザは受信チャンネルの選択をやり直すことになる。
【００５５】
以上詳しく説明したように、本実施形態では、ユーザにより受信チャンネルとして選択されたＤＡＢ放送で採用されている音声圧縮方式に放送受信装置が対応可能か否かを判定する。そして、未対応の場合は、当該ＤＡＢ放送と同内容のＦＭ放送が存在するか否かを判定し、存在する場合は当該ＦＭ放送をＦＭチューナ２等により受信して再生するようにしている。
【００５６】
そのため、未対応の音声圧縮方式を採用しているＤＡＢ放送が受信チャンネルとして選択された場合であっても、そのＤＡＢ放送と同内容のＦＭ放送があれば、選択されたＤＡＢ放送をそのまま受信して再生するのではなく、当該ＦＭ放送を受信して再生するように制御される。基本的に、ＦＭ放送はサラウンド音声がないので、ＦＭ放送の音声圧縮方式に放送受信装置が未対応であることは殆どない。これにより、未対応の音声圧縮方式によるＤＡＢ放送の受信をユーザが選択した場合であっても、無音で動作が停止してしまう不都合を防止することができる。
【００５７】
また、本実施形態では、上述のようにしてＦＭチューナ２等によりＦＭ放送の受信および再生が行われているときに、ＤＡＢチューナ１等を用いてバックグラウンドで、対応可能な音声圧縮方式を採用している他のＤＡＢ放送が存在するか否かを判定する。そして、存在する場合は、ＦＭ放送の受信および再生を、当該他のＤＡＢ放送の受信および再生に切り替えるようにしている。
【００５８】
そのため、いったんＦＭ放送を受信して再生した後、対応可能な音声圧縮方式を採用している他のＤＡＢ放送が見つけられた場合には、ＦＭ放送の受信から当該他のＤＡＢ放送の受信に切り替えて再生するように制御される。これにより、音声圧縮方式が未対応であるＤＡＢ放送の受信をユーザが選択した場合であっても、ユーザが選択したＤＡＢ放送と同じ規格のＤＡＢ放送の受信によって、無音で動作が停止してしまう不都合を防止することができる。
【００５９】
なお、ユーザにより受信チャンネルとして選択されたＤＡＢ放送で採用されている音声圧縮方式に放送受信装置が未対応の場合には、対応可能な音声圧縮方式を採用している他のＤＡＢ放送を直ちに探索するようにしてもよい。ただし、当該他のＤＡＢ放送が見つからない場合、ユーザがサービス一覧の中から受信チャンネルを選択したにもかかわらず、何も音声が出力されずに動作が停止してしまうことになる。
【００６０】
これに対して、上記実施形態で説明したように、ユーザにより選択されたＤＡＢ放送の音声圧縮方式に放送受信装置が未対応の場合に、まずは同内容のＦＭ放送を優先的に探して受信・再生し、そのバックグラウンドで他のＤＡＢ放送を探索するようにすれば、無音で動作が停止してしまう不都合を可能な限り防止することができる。
【００６１】
なお、バックグラウンドで他のＤＡＢ放送を探索する際に、対応可能な音声圧縮方式を採用している他のＤＡＢ放送が１つ見つかった時点で直ちに切り替えるようにすることが可能である。あるいは、対応可能な音声圧縮方式を採用している他のＤＡＢ放送を全て探索し、その中から最も条件の良いものに切り替えるようにしてもよい。最も条件が良いものとは、例えば、２ｃｈよりは５．１ｃｈといったように、チャンネル数が最も多いＤＡＢ放送である。
【００６２】
上記実施形態では、第１規格の放送がＤＡＢ放送であり、第２規格の放送がＦＭ放送である場合を例に挙げて説明したが、本発明はこの例に限定されない。例えば、第１規格は、ＤＭＢ、ＤＲＭ、ＩＳＤＢ、ＩＢＯＣなどであってもよい。
【００６３】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６４】
１  ＤＡＢチューナ
２  ＦＭチューナ
３  ＤＡＢ復調部
４  ＦＭ復調部
５  ＤＡＢデマルチプレクサ
６  ＦＭデマルチプレクサ
７  音声処理部
１０  コントローラ
１１  一覧生成部
１２  方式対応判定部
１３  同内容放送判定部
１４  受信制御部
１５  対応可能放送判定部
１６  表示制御部
【図１】
2013090077.tif 000003
【図２】
2013090077.tif 000004
【図３】
2013090077.tif 000005